(57)【要約】【課題】  クレジットカード決済を行う際に、利用者に対してＩＤリンク決済カードを発行し、そのＩＤリンク決済カードを用いてクレジットカード決済を行う為の、ＩＤリンク決済カードシステムを提供することを目的とする。【解決手段】  利用者が所有するクレジットカードのクレジットカード番号に対応づけられたＩＤを記録するＩＤリンク決済カードを用いてクレジットカード決済を行うＩＤリンク決済カードシステムであって、ＩＤリンク決済カードシステムは、クレジットカード番号とＩＤとを対応づけて記録するＩＤ変換センターシステムと、ＩＤに対応するクレジットカード番号に基づいてクレジットカード決済処理を行うクレジットカード決済処理システムと、を有するＩＤリンク決済カードシステムである。【選択図】  図１
2006023843.tif 000002
【特許請求の範囲】
【請求項１】
利用者が所有するクレジットカードのクレジットカード番号に対応づけられたＩＤを記録するＩＤリンク決済カードを用いてクレジットカード決済を行うＩＤリンク決済カードシステムであって、
前記ＩＤリンク決済カードシステムは、
前記クレジットカード番号と前記ＩＤとを対応づけて記録するＩＤ変換センターシステムと、
前記ＩＤに対応するクレジットカード番号に基づいてクレジットカード決済処理を行うクレジットカード決済処理システムと、
を有することを特徴とするＩＤリンク決済カードシステム。
【請求項２】
利用者が所有するクレジットカードのクレジットカード番号に対応づけられたＩＤを記録するＩＤリンク決済カードを用いてクレジットカード決済を行うＩＤリンク決済カードシステムであって、
前記ＩＤリンク決済カードシステムは、
前記クレジットカード番号と前記ＩＤとを対応づけて記録するＩＤ変換センターシステムと、
前記ＩＤに対応するクレジットカード番号に基づいてクレジットカード決済処理を行うクレジットカード決済処理システムと、
前記ＩＤリンク決済カードに記録されたＩＤを読み取るクレジットカードリーダーから受信したクレジットカード決済の電文フォーマットを、前記クレジットカードリーダーの電文フォーマットから、前記クレジットカード決済処理システムで用いる電文フォーマットに変換後、前記ＩＤ変換センターシステムに送信するデータ転送システムと、
を有することを特徴とするＩＤリンク決済カードシステム。
【請求項３】
利用者が所有するクレジットカードのクレジットカード番号に対応づけられたＩＤを記録するＩＤリンク決済カードを用いてクレジットカード決済を行うＩＤリンク決済カードシステムであって、
前記ＩＤリンク決済カードシステムは、
前記クレジットカード番号と前記ＩＤとを対応づけて記録するＩＤ変換センターシステムと、
前記ＩＤリンク決済カードに記録されたＩＤを読み取るクレジットカードリーダーから受信したクレジットカード決済の電文フォーマットを、前記クレジットカードリーダーの電文フォーマットから、前記クレジットカードの決済処理を行うクレジットカード決済処理システムで用いる電文フォーマットに変換後、前記ＩＤ変換センターシステムに送信するデータ転送システムと、
を有することを特徴とするＩＤリンク決済カードシステム。
【請求項４】
前記ＩＤ変換センターシステムは、
前記クレジットカード番号と前記ＩＤとを対応づけて記録するＩＤ・クレジットカード番号記憶手段と、
前記ＩＤリンク決済カードに記録されたＩＤを読み取るクレジットカードリーダーから前記ＩＤを受信し、前記ＩＤに対応するクレジットカード番号を前記ＩＤ・クレジットカード番号記憶手段から抽出し、抽出したクレジットカード番号を前記クレジットカード決済処理システムに送信するＩＤ変換手段と、
を有することを特徴とする請求項１に記載のＩＤリンク決済カードシステム。
【請求項５】
前記ＩＤ変換センターシステムは、
前記クレジットカード番号と前記ＩＤとを対応づけて記録するＩＤ・クレジットカード番号記憶手段と、
前記クレジットカードリーダーで読み取った前記ＩＤを前記データ転送システムを介して受信し、前記ＩＤに対応するクレジットカード番号を前記ＩＤ・クレジットカード番号記憶手段から抽出し、抽出したクレジットカード番号を前記クレジットカード決済処理システムに送信するＩＤ変換手段と、
を有することを特徴とする請求項２又は請求項３に記載のＩＤリンク決済カードシステム。
【請求項６】
前記クレジットカード決済処理システムは、
前記クレジットカード番号とそのクレジットカード番号のクレジットカード決済金額とを対応づけて記録するクレジットカード決済記憶手段と、
前記ＩＤ変換センターシステムからクレジットカード番号とそのクレジットカード番号による決済金額とを受信し、前記クレジットカード決済記憶手段に記憶している前記クレジットカード番号のクレジットカード決済金額に前記受信した決済金額を加算して更新することで、クレジットカード決済処理を行うクレジットカード決済処理手段と、
を有することを特徴とする請求項１、請求項２又は請求項４のいずれかに記載のＩＤリンク決済カードシステム。
【請求項７】
前記クレジットカード決済記憶手段は、
前記ＩＤリンク決済カードによるクレジットカード決済の決済金額と、前記クレジットカードによる通常のクレジットカード決済の決済金額とを区別して記録しており、
前記クレジットカード決済処理手段は、
前記ＩＤリンク決済カードによるクレジットカード決済の決済金額を更新する際に、前記クレジットカード決済記憶手段に記憶する前記ＩＤリンク決済カードによるクレジットカード決済の決済金額に前記受信した決済金額を加算して更新することで、クレジットカード決済処理を行う、
ことを特徴とする請求項６に記載のＩＤリンク決済カードシステム。
【請求項８】
前記クレジットカード決済処理手段は、前記ＩＤリンク決済カードの利用終了の指示を受信した際に、前記ＩＤ変換センターシステムから前記クレジットカード番号とマイナスの決済金額を受信し、前記クレジットカード決済記憶手段に記憶している前記クレジットカード番号のクレジットカード決済金額に前記受信したマイナスの決済金額で更新することで、前記ＩＤリンク決済カードの利用者に対して優遇措置を付加する、
ことを特徴とする請求項１、請求項２、請求項４から請求項７のいずれかに記載のＩＤリンク決済カードシステム。
【請求項９】
前記クレジットカード決済処理手段は、前記ＩＤリンク決済カードの利用終了の指示を受信後、前記クレジットカードリーダーから前記ＩＤリンク決済カードによるクレジットカード決済の決済金額の利用合計額を前記クレジットカード決済記憶手段から抽出し、前記クレジットカードリーダー又は前記返却処理を担当する担当者が利用する端末に於いて、前記利用合計額の承認の署名を求める為の伝票又は利用合計額の承認を求める為の画面の出力指示を、前記端末又は前記ＩＤ変換センターシステムを介して前記クレジットカードリーダーに送信する、
ことを特徴とする請求項１、請求項２、請求項４から請求項８のいずれかに記載のＩＤリンク決済カードシステム。
【請求項１０】
前記データ転送システムは、
前記ＩＤ変換センターシステムから受信したクレジットカード決済の処理結果の電文フォーマットを、前記クレジットカード決済処理システムで用いる電文フォーマットから前記クレジットカードリーダーの電文フォーマットに変換後、前記クレジットカードリーダーに送信する、
ことを特徴とする請求項２又は請求項３に記載のＩＤリンク決済カードシステム。
【発明の詳細な説明】
【技術分野】
【０００１】
本発明は、クレジットカード決済を行う際に、利用者に対してクレジットカード番号に関連づけられたＩＤが記録された決済カード（ＩＤリンク決済カード）を発行し、当該ＩＤリンク決済カードを用いてクレジットカード決済を行う為の、ＩＤリンク決済カードシステムに関する。
【背景技術】
【０００２】
クレジットカードには、クレジットカード会社が直接発行するクレジットカードの他、クレジットカード会社と提携した百貨店のような小売業者やホテルのような観光業者（以下、小売業者等）が発行する、ハウスカードと呼ばれるその小売業者等でのみ利用可能なクレジットカードが存在する。ハウスカードで当該小売業者等で買い物をすると、割引やポイントの付与等の優遇措置があることから、利用者にとって有益である。一方、小売業者等にとってみても、利用者がハウスカードを所有していれば、顧客を囲い込みすることに繋がるので、ハウスカードを発行することに注力している。
【０００３】
【特許文献１】特開平８−１６８９４号公報
【特許文献２】特開平１０−２３２８９７号公報
【特許文献３】特開平１１−３９４０１号公報
【発明の開示】
【発明が解決しようとする課題】
【０００４】
ハウスカードを利用者が利用する為には、利用の際、或いは事前にハウスカードを取得する必要がある。旅行者等がハウスカードと同等の優遇措置を受ける場合であっても、原則としてハウスカードを取得する必要があるが、旅行者等の場合、必ずしも反復利用をするとは限らない為、結果としてハウスカードの取得を断念する場合もある。
【０００５】
又、このような旅行者に対する対策として、旅行前に事前に旅行者に対して優遇措置を受けられることを証明する優待証明等を発行することもある。特に海外からの旅行者に対して優待証明を発行する場合、その優待証明は当該国の母国語で記されることとなるが、それを利用するのは日本であって、日本の従業員が優待証明に記載されている内容を理解する為に、小売業者等の従業員に対して当該優待証明について教育をする必要がある。そうしなければ従業員が優待証明の優遇措置について理解することが出来ず、結果として利用者に対する対応が遅延する等によって印象を悪化させてしまう場合もある。
【０００６】
このようにハウスカードに代わる優待証明については課題が多い。その為、旅行者等に対してもハウスカードと同等の効果を有するものを発行することが出来ると好ましい。
【課題を解決するための手段】
【０００７】
そこで本発明者等は、クレジットカードの利用者に対して、小売業者等毎の一意のＩＤを発行し、そのＩＤとクレジットカード番号とを対応させ、旅行者等の利用者に対してはＩＤを記録した認証カード（ＩＤリンク決済カード）を発行することによって、そのＩＤリンク決済カードを小売業者等で利用することによって、優遇措置を受けられる上にクレジットカード決済を行うことが可能な、ＩＤリンク決済カードシステムを発明した。
【０００８】
第１の発明は、利用者が所有するクレジットカードのクレジットカード番号に対応づけられたＩＤを記録するＩＤリンク決済カードを用いてクレジットカード決済を行うＩＤリンク決済カードシステムであって、前記ＩＤリンク決済カードシステムは、前記クレジットカード番号と前記ＩＤとを対応づけて記録するＩＤ変換センターシステムと、前記ＩＤに対応するクレジットカード番号に基づいてクレジットカード決済処理を行うクレジットカード決済処理システムと、を有するＩＤリンク決済カードシステムである。
【０００９】
このように構成することで、利用者にＩＤを記録したＩＤリンク決済カードを発行し、利用者は通常のクレジットカードの場合と同様にそれを百貨店等で提示することによって、百貨店等の従業員は通常のクレジットカードと同様にクレジットカードリーダーに当該ＩＤリンク決済カードを読み取らせる。これによって、自動的にＩＤに対応づけられたクレジットカードで決済を行うことが出来るので、優待証明等の教育を従業員に施す必要がない。
【００１０】
第１の発明は、以下のように構成しても良い。即ち、利用者が所有するクレジットカードのクレジットカード番号に対応づけられたＩＤを記録するＩＤリンク決済カードを用いてクレジットカード決済を行うＩＤリンク決済カードシステムであって、前記ＩＤリンク決済カードシステムは、前記クレジットカード番号と前記ＩＤとを対応づけて記録するＩＤ変換センターシステムと、前記ＩＤに対応するクレジットカード番号に基づいてクレジットカード決済処理を行うクレジットカード決済処理システムと、前記ＩＤリンク決済カードに記録されたＩＤを読み取るクレジットカードリーダーから受信したクレジットカード決済の電文フォーマットを、前記クレジットカードリーダーの電文フォーマットから、前記クレジットカード決済処理システムで用いる電文フォーマットに変換後、前記ＩＤ変換センターシステムに送信するデータ転送システムと、を有するＩＤリンク決済カードシステムである。
【００１１】
クレジットカードリーダーが利用するクレジットカード通信回線網は、各クレジットカード会社が用意しているものがある。そうすると、クレジットカードリーダーでＩＤリンク決済カードに対応していないクレジットカード通信回線網を利用した場合、ＩＤ変換システムを介さずに直接クレジットカード決済処理システムに送信されてしまう。その場合、ＩＤとクレジットカード決済の金額とが送信されることとなるが、ＩＤとクレジットカード番号は一致しないことから、エラー扱いとなってしまう。そこで上述の発明のデータ転送システムを設け、そこで電文フォーマットの変換を行うことによって、異なる電文フォーマットのクレジットカード通信回線網であっても、ＩＤリンク決済カードを利用することが出来る。
【００１２】
第１の発明は、以下のように構成しても良い。即ち、利用者が所有するクレジットカードのクレジットカード番号に対応づけられたＩＤを記録するＩＤリンク決済カードを用いてクレジットカード決済を行うＩＤリンク決済カードシステムであって、前記ＩＤリンク決済カードシステムは、前記クレジットカード番号と前記ＩＤとを対応づけて記録するＩＤ変換センターシステムと、前記ＩＤリンク決済カードに記録されたＩＤを読み取るクレジットカードリーダーから受信したクレジットカード決済の電文フォーマットを、前記クレジットカードリーダーの電文フォーマットから、前記クレジットカードの決済処理を行うクレジットカード決済処理システムで用いる電文フォーマットに変換後、前記ＩＤ変換センターシステムに送信するデータ転送システムと、を有するＩＤリンク決済カードシステムである。
【００１３】
このように構成することで、ＩＤリンク決済カードの決済に用いるクレジットカードのブランドにはとらわれず、どのようなブランドであってもＩＤリンク決済カードを利用することが出来る。
【００１４】
前記ＩＤ変換センターシステムは、前記クレジットカード番号と前記ＩＤとを対応づけて記録するＩＤ・クレジットカード番号記憶手段と、前記ＩＤリンク決済カードに記録されたＩＤを読み取るクレジットカードリーダーから前記ＩＤを受信し、前記ＩＤに対応するクレジットカード番号を前記ＩＤ・クレジットカード番号記憶手段から抽出し、抽出したクレジットカード番号を前記クレジットカード決済処理システムに送信するＩＤ変換手段と、を有するＩＤリンク決済カードシステムとすると良い。
【００１５】
又、前記ＩＤ変換センターシステムは、前記クレジットカード番号と前記ＩＤとを対応づけて記録するＩＤ・クレジットカード番号記憶手段と、前記クレジットカードリーダーで読み取った前記ＩＤを前記データ転送システムを介して受信し、前記ＩＤに対応するクレジットカード番号を前記ＩＤ・クレジットカード番号記憶手段から抽出し、抽出したクレジットカード番号を前記クレジットカード決済処理システムに送信するＩＤ変換手段と、を有するＩＤリンク決済カードシステムとすると良い。
【００１６】
このようなＩＤ変換センターシステムを設けることによって、ＩＤに対応するクレジットカード番号を抽出することが出来る。
【００１７】
前記クレジットカード決済処理システムは、前記クレジットカード番号とそのクレジットカード番号のクレジットカード決済金額とを対応づけて記録するクレジットカード決済記憶手段と、前記ＩＤ変換センターシステムからクレジットカード番号とそのクレジットカード番号による決済金額とを受信し、前記クレジットカード決済記憶手段に記憶している前記クレジットカード番号のクレジットカード決済金額に前記受信した決済金額を加算して更新することで、クレジットカード決済処理を行うクレジットカード決済処理手段と、を有するＩＤリンク決済カードシステムとしても良い。
【００１８】
このように構成することで、ＩＤリンク決済カードを用いてクレジットカード決済を行うことが出来る。
【００１９】
又、前記クレジットカード決済記憶手段は、前記ＩＤリンク決済カードによるクレジットカード決済の決済金額と、前記クレジットカードによる通常のクレジットカード決済の決済金額とを区別して記録しており、前記クレジットカード決済処理手段は、前記ＩＤリンク決済カードによるクレジットカード決済の決済金額を更新する際に、前記クレジットカード決済記憶手段に記憶する前記ＩＤリンク決済カードによるクレジットカード決済の決済金額に前記受信した決済金額を加算して更新することで、クレジットカード決済処理を行う、ＩＤリンク決済カードシステムとしても良い。
【００２０】
通常のクレジットカード決済の決済金額と、本発明のＩＤリンク決済カードによるクレジットカード決済の決済金額とを区別して記録することで、ＩＤリンク決済カードの利用に対する優遇措置（割引額、タックスリファンドの金額等）を容易に算出することが出来る。
【００２１】
前記クレジットカード決済処理手段は、前記ＩＤリンク決済カードの利用終了の指示を受信した際に、前記ＩＤ変換センターシステムから前記クレジットカード番号とマイナスの決済金額を受信し、前記クレジットカード決済記憶手段に記憶している前記クレジットカード番号のクレジットカード決済金額に前記受信したマイナスの決済金額で更新することで、前記ＩＤリンク決済カードの利用者に対して優遇措置を付加する、ＩＤリンク決済カードシステムである。
【００２２】
このようにマイナスの売上を決済金額としてクレジットカード決済金額に加算することで、実質的にクレジットカード決済金額から当該優遇措置に係る金額を減じていることとなる。又、利用者は確実に優遇措置を受けることも出来る。
【００２３】
前記クレジットカード決済処理手段は、前記ＩＤリンク決済カードの利用終了の指示を受信後、前記クレジットカードリーダーから前記ＩＤリンク決済カードによるクレジットカード決済の決済金額の利用合計額を前記クレジットカード決済記憶手段から抽出し、前記クレジットカードリーダー又は前記返却処理を担当する担当者が利用する端末に於いて、前記利用合計額の承認の署名を求める為の伝票又は利用合計額の承認を求める為の画面の出力指示を、前記端末又は前記ＩＤ変換センターシステムを介して前記クレジットカードリーダーに送信する、ＩＤリンク決済カードシステムである。
【００２４】
上述のようにＩＤリンク決済カードによるクレジットカード決済の利用合計額の承認を求める為の伝票、画面を出力することによって、利用者にその利用の承認を求めることが出来る。この利用の承認を行うことで、ＩＤリンク決済カードを利用していない等の利用者からの後日のクレームを防ぐことが出来る。
【００２５】
前記データ転送システムは、前記ＩＤ変換センターシステムから受信したクレジットカード決済の処理結果の電文フォーマットを、前記クレジットカード決済処理システムで用いる電文フォーマットから前記クレジットカードリーダーの電文フォーマットに変換後、前記クレジットカードリーダーに送信する、ＩＤリンク決済カードシステムである。
【発明の効果】
【００２６】
本発明のように構成することによって、利用者に対して優待証明やハウスカード自体を発行しなくても良い。特にこれらのクレジットカード（ハウスカード）を発行する場合には、通常のクレジットカードの発行手続と同様の審査が必要となるが、本発明のように利用者が元々所有しているクレジットカードにＩＤを紐づけて決済を行うだけである場合には、ＩＤリンク決済カードの発行時点に於ける与信照会を行うだけで、利用者にＩＤリンク決済カードを発行することが出来る。
【００２７】
又、利用者の所有するクレジットカードのクレジットカード番号に対応するＩＤを記録したＩＤリンク決済カードを発行することによって、小売業者等の従業員に対して別途優待証明等の教育を施すことも不要となる。つまり、従業員はクレジットカードと同様の決済処理を施せば、本発明のＩＤリンク決済カードシステムによって自動的に優遇措置とクレジットカード決済とが行われるので、スムースな接客を可能とせしめる。
【発明を実施するための最良の形態】
【００２８】
本発明のＩＤリンク決済カードシステム１のシステム構成の一例を示すシステム構成図を図１に示す。ＩＤリンク決済カードシステム１は、ＩＤ変換センターシステム２とクレジットカード決済処理システム５とからなる。
【００２９】
ＩＤ変換センターシステム２は、利用者に発行したＩＤリンク決済カードに記録したＩＤに対応するクレジットカード番号を抽出するシステムであって、ＩＤ・クレジットカード番号記憶手段３とＩＤ変換手段４とを有する。尚、利用者に発行するＩＤリンク決済カードは、クレジットカードリーダー８で読み取り可能な磁気カード、ＩＣカードであり、プラスチック、紙のように、如何なる素材を用いても良い。又、このＩＤリンク決済カードの大きさは、通常のクレジットカードと同様の規格で設計されていると良いが、クレジットカードリーダーで読み取り可能であれば、それに限定するものではない。
【００３０】
ＩＤ・クレジットカード番号記憶手段３は、利用者の所有するクレジットカードのクレジットカード番号と、それに対応するＩＤを記憶する手段である。図７にＩＤ・クレジットカード番号記憶手段３に記憶するＩＤとクレジットカード番号の概念図を示す。
【００３１】
ＩＤ変換手段４は、クレジットカードリーダー８で読み取ったＩＤリンク決済カードに記録しているＩＤに基づいて、それに対応するクレジットカード番号をＩＤ・クレジットカード番号記憶手段３から抽出し、抽出したクレジットカード番号をクレジットカード決済処理システム５に送信する手段である。尚、この際にＩＤリンク決済カードによるクレジットカード決済の情報、例えば決済金額、支払い方法等も併せて送信すると良い。
【００３２】
クレジットカード決済処理システム５は、クレジットカードの決済処理を行うシステムであって、クレジットカード決済記憶手段６とクレジットカード決済処理手段７とを有する。
【００３３】
クレジットカード決済記憶手段６は、クレジットカード番号とそのクレジットカード番号による決済金額とを対応づけて記憶する手段である。図８にクレジットカード決済記憶手段６に記憶するクレジットカード番号とその決済金額の概念図を示す。
【００３４】
クレジットカード決済処理手段７は、利用者に発行されたＩＤリンク決済カードに記憶するＩＤに対応するクレジットカード番号を、ＩＤ変換センターシステム２から受信し、そのクレジットカード番号でクレジットカード決済の処理を行う手段である。具体的には当該クレジットカード番号の決済金額に、新たに行ったクレジットカード決済の金額を加算しクレジットカード決済記憶手段６に記憶する。
【００３５】
例えばＩＤ変換センターシステム２から受信したクレジットカード番号が「１２３４−５６７８−９０１２−３４５６」であり、その決済金額が「５，０００円」、クレジットカード決済記憶手段６に記憶する当該クレジットカード番号のクレジットカード決済の金額が図８に示すように「１５，０００円」であった場合、「１５，０００円」に新たな決済金額「５，０００円」を加算し、「２０，０００円」を新たな決済金額とする。この処理後のクレジットカード決済記憶手段６の概念図を図９に示す。
【実施例１】
【００３６】
次に図１の実施形態の処理プロセスの流れを図４から図６のフローチャート図を用いて説明する。
【００３７】
まず利用者に対してＩＤリンク決済カードを発行する際の処理プロセスを図４を用いて説明する。
【００３８】
ＩＤリンク決済カードを利用することを希望する利用者は、所定の施設、例えば空港施設、港湾施設、宿泊施設、百貨店等の店舗等に於いて、所定の利用申込を行う（Ｓ１００）。この際に、利用者の氏名、住所、連絡先等の所定事項の他に、利用者がＩＤリンク決済カードで決済を行った場合、その決済を引き落とすクレジットカードの提示を行う。
【００３９】
利用申込を受け付けた上記各施設の担当者は、そのクレジットカードをクレジットカードリーダー８で読み取り、当該クレジットカードに紐づけられた（リンクされた）ＩＤリンク決済カードを発行することが出来るか否かの与信照会を行う（Ｓ１１０）。具体的には、クレジットカードリーダー８で読み取ったクレジットカード番号で与信照会の指示をクレジットカードリーダー８からクレジットカード決済処理システム５に対してクレジットカード通信回線網９を介して送信する。そして与信照会を受信したクレジットカード決済処理システム５は、所定の方法で与信照会を実行する。即ち、受信したクレジットカード番号に基づいて、クレジットカード決済記憶手段６に記憶する当該クレジットカード番号の決済金額が所定の限度額以内であるか、利用停止等がないか、延滞がないか等を照合し、その結果を当該クレジットカードリーダに送信する。具体的には、与信照会の結果とそのクレジットカード番号とをＩＤ変換センターシステム２に送信し、当該クレジットカード番号の対応するＩＤをＩＤ・クレジットカード番号記憶手段３から抽出し、抽出したＩＤと与信照会の結果とを再度クレジットカード通信回線を介してクレジットカードリーダー８に送信する。
【００４０】
与信照会の結果、限度額を超過している、利用停止等の措置がある等の理由によりＩＤリンク決済カードの発行が行えない場合には、その旨を担当者が利用者に対して伝達する。
【００４１】
一方、与信照会の結果、何ら問題がなくＩＤリンク決済カードの発行を行える場合には、ＩＤリンク決済カードに記憶されているＩＤと当該クレジットカード番号の紐付けを行う（Ｓ１２０）。具体的には、クレジットカード会社から上記各施設に対して予め渡されているＩＤリンク決済カードに記憶したＩＤと、紐付け対象となるクレジットカード番号とを所定の端末（上記各施設の担当者が利用するコンピュータ端末であることが好適であるが、クレジットカードリーダー８であっても良い）から入力し、ＩＤ変換センターシステム２に送信する。
【００４２】
ＩＤ変換センターシステム２でＩＤとクレジットカード番号とを受信すると、それらを紐付け対象としてＩＤ変換手段４が、ＩＤ・クレジットカード番号記憶手段３に対応づけて記憶する。例えばＩＤが「３」、クレジットカード番号が「９０１２−５６７８−１２３４−５６７８」であった場合、それを受信したＩＤ変換手段４は、ＩＤ・クレジットカード番号記憶手段３にＩＤとして「３」、クレジットカード番号として「９０１２−５６７８−１２３４−５６７８」を対応づけて記憶する。この記憶後のＩＤ・クレジットカード番号記憶手段３の概念図を図１０に示す。
【００４３】
Ｓ１２０の紐付けについてＩＤ変換センターシステム２で終了した旨の通知を所定の端末で受信した担当者は、当該ＩＤを記憶したＩＤリンク決済カードを利用者に対して発行する（Ｓ１３０）。好適にはそのままＩＤリンク決済カードを手渡せば良い。尚、ＩＤリンク決済カードに予めＩＤを記憶している場合にはＳ１２０、Ｓ１３０のような処理プロセスとなるが、ＩＤリンク決済カードに予めＩＤを記憶しない場合には、担当者が所定の端末からＩＤリンク決済カードの発行指示と利用者のクレジットカード番号とを送信すると、それらを受信したＩＤ変換センターシステム２のＩＤ変換手段４が、ＩＤを新たに作成し、そのクレジットカード番号と新たに作成したＩＤとを上述のようにＩＤ・クレジットカード番号記憶手段３に対応づけて記憶する。そして、新たに作成したＩＤを当該所定の端末に送信し、担当者が所定の操作をすることによって、ＩＤを記憶していないＩＤリンク決済カードの記憶部（磁気ストライプ、ＩＣメモリ等）に、前記作成したＩＤを書き込む。そして担当者はそのＩＤリンク決済カードを利用者に対して発行する。
【００４４】
このようにＩＤを発行時にＩＤリンク決済カードに記憶させることによって、ＩＤの不正使用等のセキュリティ面を向上させることが出来る。
【００４５】
次に上述のように発行されたＩＤリンク決済カードを用いて利用者がクレジットカード決済を行う場合を図５のフローチャート図を用いて説明する。
【００４６】
利用者はＩＤリンク決済カードでクレジットカード決済を行うことを希望する場合、そのＩＤリンク決済カードを利用することが出来る百貨店等に赴き、購入する商品と共にＩＤリンク決済カードを提示する（Ｓ２００）。
【００４７】
百貨店等のレジ担当者は、提示されたＩＤリンク決済カードを、通常のクレジットカードの場合と同様にクレジットカードリーダー８に読み取らせる（Ｓ２１０）。これによって、クレジットカードリーダー８が、ＩＤリンク決済カードに記憶されたＩＤを読み取る。例えば読み取ったＩＤが「１」であったとする。
【００４８】
ＩＤを読み取ったクレジットカードリーダー８は、クレジットカード決済する決済金額（例えば５，０００円）と、そのＩＤ（「１」）とをクレジットカード通信回線網９を介してＩＤ変換センターシステム２に送信し、それらを受信したＩＤ変換センターシステム２のＩＤ変換手段４は、当該ＩＤが対応するクレジットカード番号を抽出する。
【００４９】
上述の例ではＩＤが「１」であるので、ＩＤ変換手段４は、ＩＤ「１」に対応するクレジットカード番号をＩＤ・クレジットカード番号記憶手段３から抽出することとなる。即ち、図８に記載のように「１２３４−５６７８−９０１２−３４５６」を抽出することとなる。
【００５０】
ＩＤ変換手段４は、抽出したクレジットカード番号（「１２３４−５６７８−９０１２−３４５６」）と決済金額（「５，０００円」）とをクレジットカード決済処理システム５に送信する。このクレジットカード番号、決済金額とを受信すると、クレジットカード決済処理システム５のクレジットカード決済処理手段７は、クレジットカード決済記憶手段６を参照することで当該クレジットカード番号に対してクレジットカード決済を認めるか否かの与信照会を行うこととなる。
【００５１】
クレジットカード決済処理手段７は、与信照会の結果、クレジットカード決済を認める場合には（Ｓ２４０）、当該クレジットカード番号（「１２３４−５６７８−９０１２−３４５６」）のクレジットカード決済の決済金額「１５，０００円」に新たな決済金額「５，０００円」を加算し、「２０，０００円」を新たな決済金額とすることによって、クレジットカードでの決済処理を行う（Ｓ２５０）。この際に、通常のクレジットカードによる決済と区別する為に、決済金額（「２０，０００円」）のうち、当該ＩＤリンク決済カードによる決済金額（５，０００円」）を区別してその金額を記録しておくと良い。
【００５２】
Ｓ２５０の処理終了後、クレジットカード決済処理手段７は、処理終了の通知と当該クレジットカード番号（「１２３４−５６７８−９０１２−３４５６」）とをＩＤ変換センターシステム２に対して送信する。そしてＩＤ変換センターシステム２のＩＤ変換手段４は、クレジットカード番号（「１２３４−５６７８−９０１２−３４５６」）に対応するＩＤをＩＤ・クレジットカード番号記憶手段３から抽出し、当該ＩＤ（「１」）と処理終了の通知とを、クレジットカード通信回線網９を介してクレジットカードリーダー８に対して送信する（Ｓ２６０）。この通知をクレジットカードリーダー８で受信すると、店舗のレジ担当者は、当該利用者に対してクレジットカードの処理が終わったことを伝達する。
【００５３】
以上のような処理を行うことで、ＩＤを記録したＩＤリンク決済カードを用いてクレジットカード処理を行うことが可能となる。
【００５４】
次に利用者が帰国する等の事由によりＩＤリンク決済カードを返却し、優遇措置を受ける場合の処理プロセスの流れを図６のフローチャート図を用いて説明する。
【００５５】
利用者は、所定の施設（好適にはＩＤリンク決済カードを発行した施設）に赴き、ＩＤリンク決済カードを返却する（Ｓ３００）。そうすると、当該施設の担当者は、ＩＤリンク決済カードのＩＤを所定の端末から入力することによって、ＩＤリンク決済カードによる利用合計額の照会要求を送信する（Ｓ３１０）。
【００５６】
即ち、入力したＩＤ（「１」）をＩＤ変換センターシステム２に送信し、それを受信したＩＤ変換手段４は、上述と同様に、当該ＩＤ（「１」）に対応するクレジットカード番号（「１２３４−５６７８−９０１２−３４５６」）を抽出する。そしてＩＤ変換手段４は、抽出したクレジットカード番号と利用合計額の照会要求とをクレジットカード決済処理システム５に送信する。
【００５７】
クレジットカード決済処理システム５のクレジットカード決済処理手段７は、利用合計額の照会要求に基づいて、当該クレジットカード番号の利用合計額をクレジットカード決済記憶手段６から抽出し、その金額を当該所定の端末に送信する。この利用合計額は、当該クレジットカード番号に対する決済金額であっても良いし、上述のように通常のクレジットカードによる決済金額とＩＤリンク決済カードの決済金額とを区別してクレジットカード決済記憶手段６に記憶している場合には、ＩＤリンク決済カードによる決済金額（「５，０００円」）を当該所定の端末に送信する。
【００５８】
又、Ｓ３１０の利用合計額の照会の際に、当該ＩＤリンク決済カードを用いたことによる割引額又はタックスリファンド等の優遇措置の金額をクレジットカード決済処理手段７が算出し、それも併せて所定の端末に送信すると良い（Ｓ３２０）。
【００５９】
例えば上述のようにＩＤリンク決済カードによる決済金額が５，０００円であって、１０％の割引が設定されている場合、５００円を優遇措置の金額として当該所定の端末に通知し、５％のタックスリファンドが設定されている場合、２５０円を優遇措置の金額として当該所定の端末に通知する。
【００６０】
ＩＤリンク決済カードによる利用合計額と優遇措置の金額とを利用者に通知後、当該担当者は、利用者に対して上記利用があったことの承諾を改めて求める。例えば所定の伝票に署名（サイン）を求めたり、所定の画面で「承諾」のボタンを押下してもらう（Ｓ３３０）。従って、クレジットカード決済処理手段７は、上述の利用合計額の通知、優遇措置の金額の通知の際に、当該所定端末又はクレジットカードリーダー８に対して、上述の承諾を求める為の伝票印刷、画面表示等の指示を送信する。
【００６１】
このように利用者に対して再度ＩＤリンク決済カードの利用に対して承諾を求めることで、悪意を持った利用者がＩＤリンク決済カードを利用していない等主張することを防ぐことが出来る。
【００６２】
当該担当者は、ＩＤリンク決済カードをクレジットカードリーダー８で読み取らせ、上述の優遇措置の金額を入力することによって、マイナスの売上を入力する（Ｓ３４０）。上述の例では、ＩＤリンク決済カードのＩＤ（「１」）の売上として、例えば「−５００円」或いは「−２５０円」の売上を入力することとなる。従って、当該ＩＤとそのマイナスの売上金額とをクレジットカードリーダー８がＩＤ変換センターシステム２に送信し、ＩＤ変換手段４は、上述と同様にそれに対応するクレジットカード番号を抽出し（Ｓ３５０）、抽出したクレジットカード番号と当該マイナスの売上金額とをクレジットカード決済処理システム５に送信する。
【００６３】
それらを受信したクレジットカード決済処理システム５のクレジットカード決済処理手段７は、当該クレジットカード番号に対するマイナスの売上金額を加算し、クレジットカード決済記憶手段６の決済金額を更新する。例えば図９のように２０，０００円（うちＩＤリンク決済カードの決済金額は５，０００円）である場合、２０，０００円に「−５００円」を加算し、１９，５００円とする。この場合を図１１に示す。
【００６４】
このように割引額やタックスリファンドの金額をクレジットカード決済の決済金額に登録することによって（Ｓ３６０）、利用者はクレジットカード決済の際に確実に優遇措置を受けることが出来る。
【００６５】
クレジットカード決済処理システム５は、クレジットカードの利用請求の所定時期が到来後、その利用者に対してクレジットカードの利用明細を送付する（Ｓ３７０）。
【００６６】
尚、Ｓ３３０に於ける利用者によるＩＤリンク決済カードの売上の承認作業を不要とした場合には、Ｓ３００からＳ３７０は以下のような処理プロセスとしても良い。この場合の処理プロセスの流れの一例を図１２のフローチャート図に示す。
【００６７】
利用者は、所定の施設（好適にはＩＤリンク決済カードを発行した施設）に赴き、ＩＤリンク決済カードを返却する（Ｓ４００）。そうすると、当該施設の担当者は、ＩＤリンク決済カードのＩＤを所定の端末から入力することによって、ＩＤリンク決済カードによるＩＤリンク決済カードの利用終了の指示を送信する（Ｓ４１０）。
【００６８】
即ち、入力したＩＤ（「１」）をＩＤ変換センターシステム２に送信し、それを受信したＩＤ変換手段４は、上述と同様に、当該ＩＤ（「１」）に対応するクレジットカード番号（「１２３４−５６７８−９０１２−３４５６」）を抽出する。そしてＩＤ変換手段４は、抽出したクレジットカード番号とＩＤリンク決済カードの利用終了の指示とをクレジットカード決済処理システム５に送信する。
【００６９】
クレジットカード決済処理システム５のクレジットカード決済処理手段７は、ＩＤリンク決済カードの利用終了の指示に基づいて、当該クレジットカード番号の利用合計額をクレジットカード決済記憶手段６から抽出する。この利用合計額は、当該クレジットカード番号に対する決済金額であっても良いし、上述のように通常のクレジットカードによる決済金額とＩＤリンク決済カードの決済金額とを区別してクレジットカード決済記憶手段６に記憶している場合には、ＩＤリンク決済カードによる決済金額（「５，０００円」）を当該所定の端末に送信する。
【００７０】
又、上述の利用合計額の算出の際に、当該ＩＤリンク決済カードを用いたことによる割引額又はタックスリファンド等の優遇措置の金額をクレジットカード決済処理手段７が算出する（Ｓ４２０）。
【００７１】
例えば上述のようにＩＤリンク決済カードによる決済金額が５，０００円であって、１０％の割引が設定されている場合、５００円を優遇措置の金額とし、５％のタックスリファンドが設定されている場合、２５０円を優遇措置の金額とする。
【００７２】
クレジットカード決済処理手段７は、この算出した優遇措置の金額を当該クレジットカード番号に対するマイナスの売上金額として加算し、クレジットカード決済記憶手段６の決済金額を更新する。例えば図９のように２０，０００円（うちＩＤリンク決済カードの決済金額は５，０００円）である場合、２０，０００円に「−５００円」を加算し、１９，５００円とする。この場合を図１１に示す。
【００７３】
このように割引額やタックスリファンドの金額をクレジットカード決済の決済金額に登録することによって（Ｓ４３０）、利用者はクレジットカード決済の際に確実に優遇措置を受けることが出来る。
【００７４】
クレジットカード決済処理システム５は、クレジットカードの利用請求の所定時期が到来後、その利用者に対してクレジットカードの利用明細を送付する（Ｓ４４０）。
【００７５】
以上のような処理プロセスを経ることによって、利用者はハウスカードに匹敵するＩＤリンク決済カードを容易に即日利用することが出来る。これによって利用者はハウスカードと同じ優遇措置を受けることができるし、又、優遇措置の内容をクレジットカード決済処理システム５で変更すれば、ハウスカードよりも良い優遇措置を受けることもできる。更に利用者にＩＤリンク決済カードを発行することによって、百貨店等の店舗は、利用者の囲い込みを行うことも出来る。
【実施例２】
【００７６】
次に、実施例１の他の実施例を説明する。クレジットカードリーダー８が利用するクレジットカード通信回線網９は、各クレジットカード会社が用意しているものがある。そうすると、クレジットカードリーダー８でＩＤリンク決済カードに対応していないクレジットカード通信回線網９を利用した場合、ＩＤ変換システムを介さずに直接クレジットカード決済処理システム５に送信されてしまう。その場合、ＩＤとクレジットカード決済の金額とが送信されることとなるが、ＩＤとクレジットカード番号は一致しないことから、エラー扱いとなってしまう。
【００７７】
そこで本実施例２では、クレジットカードリーダー８が接続しているクレジットカード通信回線網９が他のクレジットカード会社のクレジットカード通信回線網９を利用することにより、クレジットカードリーダー８とＩＤ変換センターシステム２との間にデータ転送システム１０を設けた場合を説明する。尚、説明の簡略化の為、実施例１と同様の部分は説明を省略する。
【００７８】
本発明の実施態様のシステム構成の一例を図２のシステム構成図に示す。図２のシステム構成を有するＩＤリンク決済カードシステム１に於いては、図１のシステム構成に加えて更にデータ転送システム１０を有しており、ＩＤ変換センターシステム２、クレジットカード決済処理システム５、データ転送システム１０からなる。
【００７９】
本実施例のＩＤ変換センターシステム２のＩＤ変換手段４は、データ転送システム１０からＩＤを受信し、そのＩＤに基づいて、対応するクレジットカード番号をＩＤ・クレジットカード番号記憶手段３から抽出し、抽出したクレジットカード番号をクレジットカード決済処理システム５に送信し、実施例１と同様に与信照会、クレジットカード決済を行う。
【００８０】
又、当該クレジットカード番号による与信照会、クレジットカード決済の結果を、ＩＤ変換手段４はクレジットカード決済処理手段７から受信し、ＩＤ変換手段４は、当該クレジットカード番号に対応するＩＤをＩＤ・クレジットカード番号記憶手段３から抽出し、そのＩＤと与信照会、クレジットカード決済の結果とをデータ転送システム１０に送信する。
【００８１】
データ転送システム１０は、他のクレジットカード会社のクレジットカード通信回線網９を介して、クレジットカードリーダー８が読み取ったＩＤと与信照会、決済要求等を受信し、この電文フォーマットをＩＤ変換センターシステム２に対応する電文フォーマットに変換する。そしてその変換後の電文フォーマットからなるＩＤと与信照会、決済要求等をＩＤ変換センターシステム２に送信する。
【００８２】
又データ転送システム１０は、クレジットカード決済処理システム５に於いて、与信照会、クレジットカード決済等が終了した場合、ＩＤ変換センターシステム２からＩＤと、与信照会、クレジットカード決済等の処理結果を受信し、この電文フォーマットを他のクレジットカード会社のクレジットカード通信回線網９を利用するクレジットカードリーダー８に対応する電文フォーマットに変換する。そしてその変換後の電文フォーマットからなるＩＤと、与信照会、クレジットカード決済等の処理結果を当該クレジットカードリーダー８に送信する。
【００８３】
これらの電文フォーマットの変換には、決済種別等を示す電文のコードを、対応する電文のコードに変換することによって実現される。
【００８４】
次に図２のシステム構成図に於けるＩＤリンク決済カードシステム１の処理プロセスの流れの一例を説明する。
【００８５】
利用者に対してＩＤリンク決済カードを発行する際の処理プロセスは、実施例１と同様であるので説明を省略する。
【００８６】
次に上述のように発行されたＩＤリンク決済カードを用いて利用者がクレジットカード決済を行う場合を図５のフローチャート図を用いて説明する。
【００８７】
利用者はハウスカードであるＩＤリンク決済カードでクレジットカード決済を行うことを希望する場合、そのＩＤリンク決済カードを利用することが出来る百貨店等に赴き、購入する商品と共にＩＤリンク決済カードを提示する（Ｓ２００）。
【００８８】
百貨店等のレジ担当者は、提示されたＩＤリンク決済カードを、通常のクレジットカードの場合と同様にクレジットカードリーダー８に読み取らせる（Ｓ２１０）。これによって、クレジットカードリーダー８が、ＩＤリンク決済カードに記憶されたＩＤを読み取る。例えば読み取ったＩＤが「１」であったとする。
【００８９】
ＩＤを読み取ったクレジットカードリーダー８は、クレジットカード決済する決済金額（例えば５，０００円）と、そのＩＤ（「１」）とをクレジットカード通信回線網９を介してデータ転送システム１０に対して送信する。データ転送システム１０で決済金額とＩＤとを受信すると、その電文フォーマットをＩＤ変換センターシステム２に対応する電文フォーマットに変換する。そしてその変換後の電文フォーマットからなるＩＤ決済金額とをＩＤ変換センターシステム２に対して送信する。それらを受信したＩＤ変換センターシステム２のＩＤ変換手段４は、当該ＩＤが対応するクレジットカード番号を抽出する。
【００９０】
上述の例ではＩＤが「１」であるので、ＩＤ変換手段４は、ＩＤ「１」に対応するクレジットカード番号をＩＤ・クレジットカード番号記憶手段３から抽出することとなる。即ち、図８に記載のように「１２３４−５６７８−９０１２−３４５６」を抽出することとなる。
【００９１】
ＩＤ変換手段４は、抽出したクレジットカード番号（「１２３４−５６７８−９０１２−３４５６」）と決済金額（「５，０００円」）とをクレジットカード決済処理システム５に送信する。このクレジットカード番号、決済金額とを受信すると、クレジットカード決済処理システム５のクレジットカード決済処理手段７は、クレジットカード決済記憶手段６を参照することで当該クレジットカード番号に対してクレジットカード決済を認めるか否かの与信照会を行うこととなる。
【００９２】
クレジットカード決済処理手段７は、与信照会の結果クレジットカード決済を認める場合には（Ｓ２４０）、当該クレジットカード番号（「１２３４−５６７８−９０１２−３４５６」）のクレジットカード決済の決済金額「１５，０００円」に新たな決済金額「５，０００円」を加算し、「２０，０００円」を新たな決済金額とすることによって、クレジットカードでの決済処理を行う（Ｓ２５０）。この際に、通常のクレジットカードによる決済と区別する為に、決済金額（「２０，０００円」）のうち、当該ＩＤリンク決済カードによる決済金額（５，０００円」）を区別してその金額を記録しておくと良い。
【００９３】
Ｓ２５０の処理終了後、クレジットカード決済処理手段７は、処理終了の通知と当該クレジットカード番号（「１２３４−５６７８−９０１２−３４５６」）とをＩＤ変換センターシステム２に対して送信する。そしてＩＤ変換センターシステム２のＩＤ変換手段４は、クレジットカード番号（「１２３４−５６７８−９０１２−３４５６」）に対応するＩＤをＩＤ・クレジットカード番号記憶手段３から抽出し、当該ＩＤ（「１」）と処理終了の通知とを、データ転送システム１０に対して送信する。
【００９４】
ＩＤ（「１」）と処理終了の通知とを受信したデータ転送システム１０は、受信したＩＤ（「１」）と処理終了の通知の電文フォーマットを、他のクレジットカード会社のクレジットカード通信回線網９を利用するクレジットカードリーダー８に対応する電文フォーマットに変換する。そしてその変換後の電文フォーマットからなるＩＤと処理結果の通知とを当該クレジットカードリーダー８に送信する（Ｓ２６０）。この通知をクレジットカードリーダー８で受信すると、店舗のレジ担当者は、当該利用者に対してクレジットカードの処理が終わったことを伝達する。
【００９５】
以上のような処理を行うことで、ＩＤを記録したＩＤリンク決済カードを用いてクレジットカード処理を行うことが可能となる。
【００９６】
次に利用者が帰国する等の事由によりＩＤリンク決済カードを返却し、優遇措置を受ける場合の処理プロセスの流れを図６のフローチャート図を用いて説明する。
【００９７】
利用者は、所定の施設（好適にはＩＤリンク決済カードを発行した施設）に赴き、ＩＤリンク決済カードを返却する（Ｓ３００）。そうすると、当該施設の担当者は、ＩＤリンク決済カードのＩＤを所定の端末から入力することによって、ＩＤリンク決済カードによる利用合計額の照会要求とＩＤリンク決済カードの利用終了の指示とを送信する（Ｓ３１０）。
【００９８】
即ち、入力したＩＤ（「１」）をＩＤ変換センターシステム２に送信し、それを受信したＩＤ変換手段４は、上述と同様に、当該ＩＤ（「１」）に対応するクレジットカード番号（「１２３４−５６７８−９０１２−３４５６」）を抽出する。そしてＩＤ変換手段４は、抽出したクレジットカード番号と利用合計額の照会要求と上述の利用終了の指示とをクレジットカード決済処理システム５に送信する。
【００９９】
クレジットカード決済処理システム５のクレジットカード決済処理手段７は、上述の利用終了の指示を受信すると、利用合計額の照会要求に基づいて、当該クレジットカード番号の利用合計額をクレジットカード決済記憶手段６から抽出し、その金額を当該所定の端末に送信する。この利用合計額は、当該クレジットカード番号に対する決済金額であっても良いし、上述のように通常のクレジットカードによる決済金額とＩＤリンク決済カードの決済金額とを区別してクレジットカード決済記憶手段６に記憶している場合には、ＩＤリンク決済カードによる決済金額（「５，０００円」）を当該所定の端末に送信する。
【０１００】
又、Ｓ３１０の利用合計額の照会の際に、当該ＩＤリンク決済カードを用いたことによる割引額又はタックスリファンド等の優遇措置の金額をクレジットカード決済処理手段７が算出し、それも併せて所定の端末に送信すると良い（Ｓ３２０）。
【０１０１】
例えば上述のようにＩＤリンク決済カードによる決済金額が５，０００円であって、１０％の割引が設定されている場合、５００円を優遇措置の金額として当該所定の端末に通知し、５％のタックスリファンドが設定されている場合、２５０円を優遇措置の金額として当該所定の端末に通知する。
【０１０２】
ＩＤリンク決済カードによる利用合計額と優遇措置の金額とを利用者に通知後、当該担当者は、利用者に対して上記利用があったことの承諾を改めて求める。例えば所定の伝票に署名（サイン）を求めたり、所定の画面で「承諾」のボタンを押下してもらう（Ｓ３３０）。従って、クレジットカード決済処理手段７は、上述の利用合計額の通知、優遇措置の金額の通知の際に、当該所定端末又はクレジットカードリーダー８に対して、上述の承諾を求める為の伝票印刷、画面表示等の指示を送信する。
【０１０３】
このように利用者に対して再度ＩＤリンク決済カードの利用に対して承諾を求めることで、悪意を持った利用者がＩＤリンク決済カードを利用していない等主張することを防ぐことが出来る。
【０１０４】
当該担当者は、ＩＤリンク決済カードをクレジットカードリーダー８で読み取らせ、上述の優遇措置の金額を入力することによって、マイナスの売上を入力する（Ｓ３４０）。上述の例では、ＩＤリンク決済カードのＩＤ（「１」）の売上として、例えば「−５００円」或いは「−２５０円」の売上を入力することとなる。従って、当該ＩＤとそのマイナスの売上金額とをクレジットカードリーダー８がデータ転送システム１０に送信し、データ転送システム１０では、そのＩＤとマイナスの売上金額とをＩＤ変換センターシステム２に送信する。そしてＩＤ変換手段４は、上述と同様にそれに対応するクレジットカード番号を抽出し（Ｓ３５０）、抽出したクレジットカード番号と当該マイナスの売上金額とをクレジットカード決済処理システム５に送信する。
【０１０５】
それらを受信したクレジットカード決済処理システム５のクレジットカード決済処理手段７は、当該クレジットカード番号に対するマイナスの売上金額を加算し、クレジットカード決済記憶手段６の決済金額を更新する。例えば図９のように２０，０００円（うちＩＤリンク決済カードの決済金額は５，０００円）である場合、２０，０００円に「−５００円」を加算し、１９，５００円とする。この場合を図１１に示す。
【０１０６】
このように割引額やタックスリファンドの金額をクレジットカード決済の決済金額に登録することによって（Ｓ３６０）、利用者はクレジットカード決済の際に確実に優遇措置を受けることが出来る。
【０１０７】
クレジットカード決済処理システム５は、クレジットカードの利用請求の所定時期が到来後、その利用者に対してクレジットカードの利用明細を送付する（Ｓ３７０）。
【０１０８】
尚、Ｓ３３０に於ける利用者によるＩＤリンク決済カードの売上の承認作業を不要とした場合には、Ｓ３００からＳ３７０は以下のような処理プロセスとしても良い。この場合の処理プロセスの流れの一例を図１２のフローチャート図に示す。
【０１０９】
利用者は、所定の施設（好適にはＩＤリンク決済カードを発行した施設）に赴き、ＩＤリンク決済カードを返却する（Ｓ４００）。そうすると、当該施設の担当者は、ＩＤリンク決済カードのＩＤを所定の端末から入力することによって、ＩＤリンク決済カードによるＩＤリンク決済カードの利用終了の指示を送信する（Ｓ４１０）。
【０１１０】
即ち、入力したＩＤ（「１」）をＩＤ変換センターシステム２に送信し、それを受信したＩＤ変換手段４は、上述と同様に、当該ＩＤ（「１」）に対応するクレジットカード番号（「１２３４−５６７８−９０１２−３４５６」）を抽出する。そしてＩＤ変換手段４は、抽出したクレジットカード番号とＩＤリンク決済カードの利用終了の指示とをクレジットカード決済処理システム５に送信する。
【０１１１】
クレジットカード決済処理システム５のクレジットカード決済処理手段７は、ＩＤリンク決済カードの返却処理要求に基づいて、当該クレジットカード番号の利用合計額をクレジットカード決済記憶手段６から抽出する。この利用合計額は、当該クレジットカード番号に対する決済金額であっても良いし、上述のように通常のクレジットカードによる決済金額とＩＤリンク決済カードの決済金額とを区別してクレジットカード決済記憶手段６に記憶している場合には、ＩＤリンク決済カードによる決済金額（「５，０００円」）を当該所定の端末に送信する。
【０１１２】
又、上述の利用合計額の算出の際に、当該ＩＤリンク決済カードを用いたことによる割引額又はタックスリファンド等の優遇措置の金額をクレジットカード決済処理手段７が算出する（Ｓ４２０）。
【０１１３】
例えば上述のようにＩＤリンク決済カードによる決済金額が５，０００円であって、１０％の割引が設定されている場合、５００円を優遇措置の金額とし、５％のタックスリファンドが設定されている場合、２５０円を優遇措置の金額とする。
【０１１４】
クレジットカード決済処理手段７は、この算出した優遇措置の金額を当該クレジットカード番号に対するマイナスの売上金額として加算し、クレジットカード決済記憶手段６の決済金額を更新する。例えば図９のように２０，０００円（うちＩＤリンク決済カードの決済金額は５，０００円）である場合、２０，０００円に「−５００円」を加算し、１９，５００円とする。この場合を図１１に示す。
【０１１５】
このように割引額やタックスリファンドの金額をクレジットカード決済の決済金額に登録することによって（Ｓ４３０）、利用者はクレジットカード決済の際に確実に優遇措置を受けることが出来る。
【０１１６】
クレジットカード決済処理システム５は、クレジットカードの利用請求の所定時期が到来後、その利用者に対してクレジットカードの利用明細を送付する（Ｓ４４０）。
【０１１７】
上述のようにクレジットカードリーダー８とＩＤ変換センターシステム２との間のクレジットカード通信回線網９が、自社システム等でないことによりＩＤの送受信を直接行うことが出来ない場合には、その経路にデータ転送システム１０を設け、上述のような処理を施すことによって、実現することが出来る。
【実施例３】
【０１１８】
更に、実施例１及び実施例２の形態に於いて、クレジットカード決済処理システム５として、ＩＤリンク決済カードを発行するクレジットカード会社とは異なるクレジットカード会社のクレジットカード決済処理システム５（他社クレジットカード決済処理システム１１）を用いることも出来る。この場合のシステム構成の一例を図３に示す。
【０１１９】
即ち、ＩＤ変換センターシステム２のＩＤ・クレジットカード番号記憶手段３では、ＩＤとクレジットカード番号とを対応づけて記憶している。そしてクレジットカード番号は一意に定められている。そうすると、ＩＤ変換手段４が、ＩＤに対応するクレジットカード番号を抽出し、そのクレジットカード番号に対応したクレジットカード会社のクレジットカード決済処理システム５（他のクレジットカード会社の場合には他社クレジットカード決済処理システム１１）に対して、クレジットカード番号と、与信照会、クレジットカード決済等を送信することによって、クレジットカード会社にとらわれないでクレジットカード決済を行うことが出来る。
【０１２０】
又、ＩＤ変換センターシステム２が、クレジットカード決済処理システム５（他のクレジットカード会社の場合には他社クレジットカード決済処理システム１１）からクレジットカード番号と、与信照会やクレジットカード決済の処理結果を受信した場合には、ＩＤ変換手段４が当該クレジットカード番号に対応するＩＤをＩＤ・クレジットカード番号記憶手段３から抽出し、抽出したＩＤとその処理結果とをクレジットカードリーダー８又は所定の端末に送信することによって、上述と同様の処理を実行することが出来る。
【０１２１】
本発明に於ける各手段は、その機能が論理的に区別されているのみであって、物理上あるいは事実上は同一の領域を為していても良い。又記憶手段との記載には、データベース、データファイル、テキストファイル等の様々なデータ形式による記憶手段が含まれる。
【０１２２】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【０１２３】
この場合、記憶媒体から読み出されたプログラム自体が前記した実施態様の機能を実現することとなり、そのプログラムを記憶した記憶媒体は本発明を当然のことながら構成することになる。
【０１２４】
プログラムを供給する為の記憶媒体としては、例えば磁気ディスク、ハードディスク、光ディスク、光磁気ディスク、磁気テープ、不揮発性のメモリカード等を使用することができる。
【０１２５】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【０１２６】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【０１２７】
本発明によって、利用者に対して優待証明やハウスカード自体を発行する必要性をなくし、優遇措置が受けられるクレジットカードを発行することを可能とする。
【０１２８】
又、利用者の所有するクレジットカードのクレジットカード番号に対応するＩＤを記録した認証カード（ＩＤリンク決済カード）を発行することによって、小売業者等の従業員に対して別途優待証明等の教育を施すことも不要となる。つまり、従業員はクレジットカードと同様の決済処理を施せば、本発明のＩＤリンク決済カードシステム１によって自動的に優遇措置とクレジットカード決済とが行われるので、スムースな接客を可能とせしめる。
【図面の簡単な説明】
【０１２９】
【図１】本発明のＩＤリンク決済カードシステムのシステム構成の一例を示したシステム構成図である。
【図２】本発明のＩＤリンク決済カードシステムのシステム構成の他の一例を示したシステム構成図である。
【図３】本発明のＩＤリンク決済カードシステムのシステム構成の他の一例を示したシステム構成図である。
【図４】本発明のＩＤリンク決済カードの発行の処理プロセスの流れの一例を示したフローチャート図である。
【図５】本発明のＩＤリンク決済カードの利用の処理プロセスの流れの一例を示したフローチャート図である。
【図６】本発明のＩＤリンク決済カードの返却の処理プロセスの流れの一例を示したフローチャート図である。
【図７】ＩＤ・クレジットカード番号記憶手段に記憶するＩＤとクレジットカード番号の概念図である。
【図８】クレジットカード決済記憶手段に記憶するクレジットカード番号とその決済金額の概念図である。
【図９】クレジットカード決済処理後のクレジットカード決済記憶手段の概念図である。
【図１０】新たにＩＤを追加し場合のＩＤ・クレジットカード番号記憶手段の概念図である。
【図１１】優遇措置を行った後のクレジットカード決済記憶手段の概念図である。
【図１２】本発明のＩＤリンク決済カードの返却の処理プロセスの流れの他の一例を示したフローチャート図である。
【符号の説明】
【０１３０】
１：ＩＤリンク決済カードシステム
２：ＩＤ変換センターシステム
３：ＩＤ・クレジットカード番号記憶手段
４：ＩＤ変換手段
５：クレジットカード決済処理システム
６：クレジットカード決済記憶手段
７：クレジットカード決済処理手段
８：クレジットカードリーダー
９：クレジットカード通信回線網
１０：データ転送システム
１１：他社クレジットカード決済処理システム
【図１】
2006023843.tif 000003
【図２】
2006023843.tif 000004
【図３】
2006023843.tif 000005
【図４】
2006023843.tif 000006
【図５】
2006023843.tif 000007
【図６】
2006023843.tif 000008
【図７】
2006023843.tif 000009
【図８】
2006023843.tif 000010
【図９】
2006023843.tif 000011
【図１０】
2006023843.tif 000012
【図１１】
2006023843.tif 000013
【図１２】
2006023843.tif 000014